(57)【要約】【課題】表示された画像の不正な複写による流出を確実に防止できる画像表示シート及び画像形成装置等を提供する。【解決手段】画像を表示する表示手段３０１と、表示手段に表示される画像の表示／非表示を切り替える表示切替え手段３０５と、表示手段３０１に表示された画像に対する複写動作を検出する複写検出手段３０３と、表示手段３０１に表示された画像に対する複写動作を検出した際、該画像の表示を表示切替え手段を介して非表示にする制御手段３０５を備える。【選択図】  図１
2008148074.tif 000002
【特許請求の範囲】
【請求項１】
画像を表示する表示手段と、
前記表示手段に表示される画像の表示／非表示を切り替える表示切替え手段と、
前記表示手段に表示された画像に対する複写動作を検出する複写検出手段と、
前記表示手段に表示された画像に対する複写動作を検出した際、該画像の表示を前記表示切替え手段を介して非表示にする制御手段と、
を備えていることを特徴とする画像表示シート。
【請求項２】
前記複写検出手段は、表示手段に表示された画像に対する複写動作の終了をも検出し、
前記制御手段は、複写動作の終了が検出された際には、前記非表示にした画像を前記表示切替え手段を介して再表示する請求項１に記載の画像表示シート。
【請求項３】
前記複写動作は、光源から前記表示手段の画像に照射される光の移動によるスキャン動作で行われるものであり、
前記複写検出手段は、前記光源の光の移動を検出する光センサで構成されている請求項１または２に記載の画像表示シート。
【請求項４】
操作者のＩＤを取得するＩＤ取得手段と、
前記取得した操作者のＩＤと画像表示シートのＩＤとに関連付けがあるか否かを判断する判断手段とを備え、
前記制御手段は、複写動作時に、操作者ＩＤと画像表示シートのＩＤとに関連付けが認められる場合には、前記表示手段に表示されている画像を非表示にしないように制御する請求項１〜３のいずれかに記載の画像表示シート。
【請求項５】
前記表示手段の画像に照射される赤外線の光量を検出する赤外線センサと、
前記表示手段に表示された画像を撮影して複写する撮影装置に対して赤外線を照射して該撮影装置までの距離を検出する測距センサと、
を備え、
前記複写検出手段は、前記赤外線センサによる検出結果と、前記測距センサによる検出結果とに基づいて複写動作を検出する請求項１、２、４のいずれかに記載の画像表示シ−ト。
【請求項６】
前記複写検出手段は、画像形成装置側から送信された複写開始信号の受信により、前記表示手段に表示された画像に対する複写動作を検出する請求項１〜４のいずれかに記載の画像表示シート。
【請求項７】
前記複写検出手段は、画像に対する複写動作の終了を、画像形成装置側から送信された複写終了信号の受信により検出する請求項２に記載の画像表示シート。
【請求項８】
原稿台上に載置された画像表示シートに対してユーザによってなされた複写開始指示を受け付ける受付手段と、
複写開始指示を受け付けた場合には、前記画像表示シートに対して複写開始信号を送信するように制御する制御手段と、
を備えていることを特徴とする画像形成装置。
【請求項９】
前記制御手段は、前記画像表示シートに対して複写終了信号をも送信するように制御する請求項８に記載の画像形成装置。
【請求項１０】
前記ユーザの認証を行う認証手段と、
前記画像表示シートのＩＤを取得するＩＤ取得手段と、
前記取得された画像表示シートのＩＤと前記ユーザ認証に使用されたユーザＩＤとに関連付けがあるか否かを判断する判断手段と、
を備え、
画像表示シートのＩＤと前記ユーザＩＤとに所定の関連付けがあると判断された場合には、前記画像表示シートに対して複写開始信号を送信しないように制御する請求項８に記載の画像形成装置。
【請求項１１】
表示手段に表示された画像に対する複写動作を検出するステップと、
前記複写動作を検出した際、前記画像が表示された表示手段を非表示に切り替えるステップと、
を備えていることを特徴とする画像表示シートの表示制御方法。
【請求項１２】
画像形成装置の原稿台上に載置された画像表示シートに対してユーザによってなされた複写開始指示を受け付けるステップと、
複写開始指示を受け付けた場合には、画像形成装置は、前記画像表示シートに対して複写開始信号を送信するステップと、
前記複写開始信号に基づいて、画像表示シートに表示された画像を非表示状態に切り替えるステップと、
を備えていることを特徴とする画像表示シートの表示制御方法。
【請求項１３】
表示手段に表示された画像に対する複写動作を検出するステップと、
前記複写動作を検出した際、前記画像が表示された表示手段を非表示に切り替えるステップと、
を画像表示シートのコンピュータに実行させるための表示制御プログラム。
【請求項１４】
原稿台上に載置された画像表示シートに対してユーザによってなされた複写開始指示を受け付けるステップと、
複写開始指示を受け付けた場合には、前記画像表示シートに対して複写開始信号を送信するステップと、
を画像形成装置のコンピュータに実行させるための表示制御プログラム。
【発明の詳細な説明】
【技術分野】
【０００１】
この発明は、電子ペーパーなどの画像表示シートと、この画像表示シートに表示された画像の複写に使用可能な多機能デジタル複合機であるＭＦＰ（Multi Function Peripherals) などの画像形成装置、さらには画像表示シートの表示制御方法及び表示制御プログラムに関する。
【背景技術】
【０００２】
周知のように、画像表示シートとしての電子ペーパーは、無電源で画像を表示保持する表示部を有しており、画像が印刷表示された用紙とは違って、表示部に表示された画像を消去したり、上書きすることが可能である。このため、電子ぺーパーは、繰り返し使用が可能であり、紙資源の節約などの観点からも利用促進が望まれている。
【０００３】
ところが、このような電子ペーパーは、画像が表示されたままであるから、第三者が電子ペーパーを複写することが可能であり、この場合には有料画像や機密画像が不正に流出されてしまうおそれがある。
【０００４】
従来、原稿としての電子ペーパーに内蔵された非接触のＩＣチップに「複写許可情報」を書き込み、複写機で電子パーパーの原稿画像を読み取る際に、前記ＩＣチップに記憶された「複写許可情報」を読み取らせ、その複写許可情報から「複写禁止」であれば、複写機が原稿読み取り動作を禁止するという技術が提案されている（例えば、特許文献１参照）。
【０００５】
また、電子ぺーパーがエリア検知機能を持ち、指定エリア外に持ち出されると画像を消去する技術も提案されている（例えば、特許文献２参照）。
【特許文献１】特開２００５−１２７０１号公報
【特許文献２】特開２００６−３９１０７号公報
【発明の開示】
【発明が解決しようとする課題】
【０００６】
しかしながら、前記特許文献１の技術においては、複写禁止の判断を複写機が行う構成であるから、原稿が「複写禁止」情報を保有していても、複写機が複写禁止機能を有していなければ、表示された画像の複写が可能となり、画像の不正流出の恐れを解消することはできなかった。
【０００７】
また、特許文献２の技術においても、指定エリア内であれば、表示された画像の複写は可能であるため、やはり画像の不正流出の恐れを解消することはできなかった。
【０００８】
この発明は、上記実情に鑑みてなされたものであり、表示された画像の不正な複写による流出を確実に防止できる画像表示シート、画像形成装置、画像表示シートの表示制御方法及び表示制御プログラムを提供することを課題としている。
【課題を解決するための手段】
【０００９】
上記課題は以下の手段によって解決される。
（１）画像を表示する表示手段と、前記表示手段に表示される画像の表示／非表示を切り替える表示切替え手段と、前記表示手段に表示された画像に対する複写動作を検出する複写検出手段と、前記表示手段に表示された画像に対する複写動作を検出した際、該画像の表示を前記表示切替え手段を介して非表示にする制御手段と、を備えていることを特徴とする画像表示シート。
（２）前記複写検出手段は、表示手段に表示された画像に対する複写動作の終了をも検出し、前記制御手段は、複写動作の終了が検出された際には、前記非表示にした画像を前記表示切替え手段を介して再表示する前項１に記載の画像表示シート。
（３）前記複写動作は、光源から前記表示手段の画像に照射される光の移動によるスキャン動作で行われるものであり、前記複写検出手段は、前記光源の光の移動を検出する光センサで構成されている前項１または２に記載の画像表示シート。
（４）操作者のＩＤを取得するＩＤ取得手段と、前記取得した操作者のＩＤと画像表示シートのＩＤとに関連付けがあるか否かを判断する判断手段とを備え、前記制御手段は、複写動作時に、操作者ＩＤと画像表示シートのＩＤとに関連付けが認められる場合には、前記表示手段に表示されている画像を非表示にしないように制御する前項１〜３のいずれかに記載の画像表示シート。
（５）前記表示手段の画像に照射される赤外線の光量を検出する赤外線センサと、前記表示手段に表示された画像を撮影して複写する撮影装置に対して赤外線を照射して該撮影装置までの距離を検出する測距センサと、を備え、前記複写検出手段は、前記赤外線センサによる検出結果と、前記測距センサによる検出結果とに基づいて複写動作を検出する前項１、２、４のいずれかに記載の画像表示シ−ト。
（６）前記複写検出手段は、画像形成装置側から送信された複写開始信号の受信により、前記表示手段に表示された画像に対する複写動作を検出する前項１〜４のいずれかに記載の画像表示シート。
（７）前記複写検出手段は、画像に対する複写動作の終了を、画像形成装置側から送信された複写終了信号の受信により検出する前項２に記載の画像表示シート。
（８）原稿台上に載置された画像表示シートに対してユーザによってなされた複写開始指示を受け付ける受付手段と、複写開始指示を受け付けた場合には、前記画像表示シートに対して複写開始信号を送信するように制御する制御手段と、を備えていることを特徴とする画像形成装置。
（９）前記制御手段は、前記画像表示シートに対して複写終了信号をも送信するように制御する前項８に記載の画像形成装置。
（１０）前記ユーザの認証を行う認証手段と、前記画像表示シートのＩＤを取得するＩＤ取得手段と、前記取得された画像表示シートのＩＤと前記ユーザ認証に使用されたユーザＩＤとに所定の関連付けがあるか否かを判断する判断手段と、を備え、画像表示シートのＩＤと前記ユーザＩＤとに所定の関連付けがある場合には、前記画像表示シートに対して複写開始信号を送信しないように制御する前項８に記載の画像形成装置。
（１１）表示手段に表示された画像に対する複写動作を検出するステップと、前記複写動作を検出した際、前記画像が表示された表示手段を非表示に切り替えるステップと、を備えていることを特徴とする画像表示シートの表示制御方法。
（１２）原稿台上に載置された画像表示シートに対してユーザによってなされた複写開始指示を受け付けるステップと、複写開始指示を受け付けた場合には、前記画像表示シートに対して複写開始信号を送信するステップと、前記複写開始信号に基づいて、画像表示シートに表示された画像を非表示状態に切り替えるステップと、を備えていることを特徴とする画像表示シートの表示制御方法。
（１３）表示手段に表示された画像に対する複写動作を検出するステップと、前記複写動作を検出した際、前記画像が表示された表示手段を非表示に切り替えるステップと、を画像表示シートのコンピュータに実行させるための表示制御プログラム。
（１４）原稿台上に載置された画像表示シートに対してユーザによってなされた複写開始指示を受け付けるステップと、複写開始指示を受け付けた場合には、前記画像表示シートに対して複写開始信号を送信するステップと、を画像形成装置のコンピュータに実行させるための表示制御プログラム。
【発明の効果】
【００１０】
前項（１）に記載の発明によれば、表示手段に表示された画像に対する複写動作が複写検出手段により検出されると、表示切替え手段を介して前記表示手段の画像が非表示にされるから、画像が不正に複写されて流出するのを防止できる。
【００１１】
前項（２）に記載の発明によれば、複写動作の終了が検出されると、非表示にされた画像が再表示されるから、電子ペーパーを所有するユーザは、非表示になった自らの画像を失う不都合はない。
【００１２】
前項（３）に記載の発明によれば、画像表示シートが、例えば画像形成装置における画像読み取り部でのスキャン動作で複写される際には、光学センサによりその複写動作が検出されるから、前記画像形成装置を使って画像が不正に複写されるのを防止できる。
【００１３】
前項（４）に記載の発明によれば、複写動作時に、取得された操作者ＩＤと画像表示シートのＩＤとに関連付けが認められると、表示手段に表示された画像が非表示にされることなく保持されるから、操作者は、自ら所有している画像表示シートの表示画像を支障なく複写できる。
【００１４】
前項（５）に記載の発明によれば、表示シートに表示されている画像がデジタルカメラのような撮像装置を使って複写される際でも、撮像装置からの赤外線の光量や撮像装置までの検出距離からその複写動作を検出して、画像を非表示とすることが可能となる。
【００１５】
前項（６）に記載の発明によれば、画像形成装置側から送信された複写開始信号を受信することにより、前記表示切替え手段を介して前記表示手段の表示が非表示に切り替えられるから、表示されていた画像が複写されるのを防止できる。しかも、スキャン時の光の移動を検出するためのセンサ等を設ける必要はない。
【００１６】
前項（７）に記載の発明によれば、画像形成装置側から送信された複写終了信号を受信することにより、前記表示切替え手段を介して前記表示手段に画像が再表示される。
【００１７】
前項（８）に記載の発明によれば、ユーザが原稿台に画像表示シートを載置し、複写開始を指示すると、前記画像表示シートに対して複写開始信号が送信されるから、画像表示シート側でこの複写開始信号を受信することによって、画像の表示を非表示にすることができる。
【００１８】
前項（９）に記載の発明によれば、ユーザが原稿台に載置した画像表示シートの複写が終了する時に、前記画像表示シートに対して複写終了信号が送信されるから、画像表示シート側でこの複写終了信号を受信することによって、非表示にされていた画像を再表示することができる。
【００１９】
前項（１０）に記載の発明によれば、表示シートのＩＤと前記ユーザＩＤとに関連付けがあると判断された場合には、画像形成装置は、画像表示シートに対して複写開始信号を送信しないように制御されるから、画像の不正複写の恐れのない場合にまで、画像か非表示にされるのを防止できる。
【００２０】
前項（１１）に記載の発明によれば、表示手段に表示された画像に対する複写動作が検出されると、前記表示手段の画像が非表示にされるから、画像が不正に複写されて流出するのを防止できる。
【００２１】
前項（１２）に記載の発明によれば、ユーザが原稿台に画像表示シートを載置し、複写開始を指示すると、画像形成装置から前記画像表示シートに対して複写開始信号が送信され、画像表示シート側でこの複写開始信号を受信することによって、画像の表示を非表示に借り換えられるから、画像が不正に複写されて流出するのを防止できる。
【００２２】
前項（１３）に記載の発明によれば、表示手段に表示された画像に対する複写動作を検出するステップと、前記複写動作を検出した際、前記画像が表示された表示手段を非表示に切り替えるステップと、を画像表示シートのコンピュータに実行させることができる。
【００２３】
前項（１４）に記載の発明によれば、原稿台上に載置された画像表示シートに対してユーザによってなされた複写開始指示を受け付けるステップと、複写開始指示を受け付けた場合には、前記画像表示シートに対して複写開始信号を送信するステップと、を画像形成装置のコンピュータに実行させることができる。
【発明を実施するための最良の形態】
【００２４】
以下、この発明の一実施形態を図面に基づいて説明する。
【００２５】
まず、ここで、画像表示シートの一例としての電子ペーパーの構造について簡単に説明する。
【００２６】
電子パーパーの具体的な構造は各種あるが、表示原理としては、フィルタ一層／インク層／ドライバ層／フィルター層のサンドイッチ構造が一般的となっている。
【００２７】
インク層には、白と青の２色の液体を収めた「マイクロカプセル」や、上下で２色に塗り分けられた「帯電ピーズ」が敷き詰められている。いずれも、通常は表面を「白」に表現する状態になっている。
【００２８】
ドライバ層は、表示させたい内容に応じてインク層の必要部分にマイナスの電場を与えるものである。電場を与えると、「マイクロカプセル」の場合は「電気泳動」現象によって白い液体の粒子が裏面に引き込まれ、表面には青い液体だけが集まる。これが電子ペーパー上で「黒」として表示される。「帯電ビーズ」の場合も同様に、電荷に応じてビーズが回転し、白と黒を表現することができる。
【００２９】
また、コストダウンと形状やサイズの自由化を目的に、ドライバ層をなくし、外部の装置によって書き換えるタイプも考案されている。
【００３０】
この実施形態では、ドライバ層を保有した自己書き換え形電子ペーパーを前提としている。
【００３１】
図１は、この発明の一実施形態に係る画像表示シートである自己書き換え形電子ペーパーの電気的構成を示すブロック図である。
【００３２】
図１において、この電子ペーパーＥＰは、画像（画像データ）を無電源状態で表示保持する表示部３０１と、画像を記憶するためのメモリ部３０２と、前記表示部３０１の複写動作を検出するセンサ部３０３と、制御部３０５と、これらセンサ部３０３や制御部３０５の動作電源を供給する電源３０４と、ユーザ（操作者）ＩＤの受信や自身のＩＤの送信、画像形成装置からの複写開始信号や複写終了信号の受信等、画像形成装置Ｍとの間で送受信を行うための通信部３０６と、電子ペーパーＥＰに付加されたユーザＩＤを記憶するＩＤ記憶部３０７とを備えている。
【００３３】
前記制御部３０５は、電子ペーパーＥＰの全体を統括的に制御するものであり、図示しないＣＰＵ、ＲＯＭ、ＲＡＭ等を備えている。また制御部３０５は、前記表示部３０１に表示される画像の表示／非表示を切り替え制御する機能を備えている。具体的には、表示部３０１に表示された画像に対する複写動作を検出した際、該画像の表示を非表示にさせ、また、複写動作の終了を検出した際には、前記非表示に切り替えた画像を表示部３０１に再表示させる。
【００３４】
さらには、この制御部３０５は、通信部３０６を介して画像形成装置Ｍから取得したユーザＩＤとＩＤ記憶部３０７に記憶されている自身のＩＤとを比較し、両ＩＤに関連性が認められると、表示部３０１に表示された画像を非表示にしないように制御する。
【００３５】
このような構成の電子ペーパーＥＰは、例えば、画像形成装置Ｍ（図３）等による画像の複写動作を前記センサ部３０３で検出する。前記センサ部３０３が複写動作を検出した場合には、前記制御部３０５が表示部３０１に表示されている画像を非表示へと切り替える。このため、電子ペーパーＥＰにおけるドライバ層における画像が存在するマトリックスの所要部分の電極極性が反転される。これにより、白色粒子と黒色粒子の位置が入れ替わり、表示部３０１の画像が非表示に切り替えられることになる。
【００３６】
図２は、自己書き換え形電子ペーパーＥＰの平面構成図である。
【００３７】
図２おいて、この電子ペーパーＥＰは、画像の表示部３０１の周辺がフォトセンサ６０１〜６０３（図６に示す）および６０４〜６０６（図８に示す）の配置領域４０１として設定されている。
【００３８】
この電子ペーパーＥＰは、前記表示部３０１に表示された画像が画像形成装置Ｍの読み取り部による走査（スキャン）開始を検出するために、図６に示すように、副走査方向の開始側端には、複数のフォトセンサ６０１〜６０３が副走査方向に並設されている。さらに、電子ペーパーＥＰの副走査方向の終了端には、図８に示すように、スキャン終了を検出するために、複数のフォトセンサ６０４〜６０６が副走査方向に並設されている。
【００３９】
勿論、画像の表示を妨げない範囲で、前記フォトセンサ６０１〜６０３ならびに６０４〜６０６の配置位置や配置個数は任意に変更可能である。
【００４０】
図３は、画像形成装置Ｍの電気的構成を示すブロック図である。
【００４１】
図３において、この画像形成装置Ｍは、ＣＰＵを備え画像形成装置Ｍの全体を統括制御する制御部１３１と、様々な機能の操作設定を行ったり、メッセージなどが表示される操作表示部１３２と、制御部１３１の動作プログラム等が格納されたＲＯＭ１３３と、制御部１３１が動作する際の作業領域として機能するＲＡＭ１３４と、後述する原稿台５０１に置かれた原稿や電子パーパーＥＰの画像を読み取り、電子データ化する画像読み取り部１３５と、電子データ化された画像データに所定の処理を施す画像処理部１３６と、画像データを用紙にプリントするための画像形成部１３７と、各種データを保存しておくためのデータ記憶部１３８と、ユーザ認証を行う認証部１３９と、複写開始時に電子ペーパーＥＰ側に複写開始信号を送信する複写開始信号送信部１４０と、複写終了時に電子ペーパーＥＰ側に複写終了信号を送信する複写終了信号送信部１４１と、ネットワーク１００を介して外部端末などとの間でデータの送受信を行ったり、電子パーパーＥＰのＩＤを検出したりするための通信部２０９とを備えている。
【００４２】
図４は、前記画像読み取り部１３５の概略構成図である。
【００４３】
この画像読み取り部１３５は、例えば、電子パーパーＥＰが載置される原稿台５０１と、電子ペーパーＥＰの画像に対して光を照射する光源（ランプ）５０５と、光源５０５を副走査方向（図４の矢印方向）へ移動させるスキャナモータ５０２と、前記光源５０５の光を受けた電子ペーパーＥＰからの反射光を所定方向へ反射させるミラー５０４と、ミラー５０４によって集光された光を受光し光電変換して電気信号を送出するＣＣＤ５０３とを備えている。
【００４４】
次に、画像形成装置Ｍにおける画像読み取り部１３５により前記電子ペーパ−ＥＰの画像に対して複写が行われるときの、電子ペーパーの動作について、図５および図６を参照して説明する。
【００４５】
画像読み取り部１３５により前記電子ペーパ−ＥＰの画像を読み取るためのスキャンが開始されると、原稿台５０１上の電子ペーパーＥＰの画像に光を照射する光源５０５が図５の矢印に示すように、副走査方向へ移動する。
【００４６】
このとき、図６に示すように、電子ペーパーＥＰにおける副走査方向の開始側端の複数のフォトセンサ６０１（センサＡ）、フォトセンサ６０２（センサＢ）、フォトセンサ６０３（センサＣ）が前記光源５０５からの光を順次検出することにより、電子ペーパ−ＥＰの表示部３０１に表示されている画像を複写する動作が実行されていると判断する。
【００４７】
具体的には、図７に示すように、フォトセンサ６０１（センサＡ）が光を検出してＯＮとなった状態からＴ１秒後に、フォトセンサ６０２（センサＢ）が光を検出してＯＮする。この時、フォトセンサ６０１（センサＡ）はＯＦＦ状態である。
【００４８】
また、Ｔ２秒後にフォトセンサ６０３（センサＣ）が光を検出してＯＮとなる。この時、フォトセンサ６０２（センサＢ）はＯＦＦ状態である。
【００４９】
さらにまた、Ｔ３秒後には、フォトセンサ６０３（センサＣ）が光を検出しなくなり、ＯＦＦ状態となる、この時、フォトセンサ６０１（センサＡ）およびフォトセンサ６０２（センサＢ）もＯＦＦ状態である。
【００５０】
この状態から、光源５０５の光が電子ペーパーＥＰの表示部３０１を照射しながら移動していることが検出され、これにより、前記画像読み取り部１３５によるスキャン動作が行われることが検出されることになる。
【００５１】
前記Ｔ１時間の設定やフォトセンサ６０１（センサＡ）、フォトセンサ６０２（センサＢ）、フォトセンサ６０３（センサＣ）の配置間隔によっては、前記Ｔ１秒後にフォトセンサ６０２（センサＢ）がＯＮとなった際に、フォトセンサ６０１（センサＡ）もまだＯＮ状態であってもよい場合もあり、センサ間隔やセンサ並設個数などは任意に変更可能である。
【００５２】
他方、スキャン動作の終了を検出する場合は、電子ペーパーＥＰの画像に光を照射する光源５０５が副走査方向へ移動して行く際に、図８に示すように、副走査方向の終了端の複数のフォトセンサ６０４（センサＤ）、フォトセンサ６０５（センサＥ）、フォトセンサ６０６（センサＦ）が前記光源５０５からの光を順次検出することにより、電子ペーパーＥＰの表示部３０に対するスキャン動作が終了したと判断する。
【００５３】
具体的には、図９に示すように、前記光源５０５の光をフォトセンサ６０４（センサＤ）が検出してＯＮになった状態から、Ｔ１秒後にフォトセンサ６０５（センサＥ）が光を検出してＯＮとなる。この時、フォトセンサ６０４（センサＤ）はＯＦＦ状態である。
【００５４】
また、Ｔ２秒後にフォトセンサ６０６（センサＦ）が光を検出してＯＮになる。この時、フォトセンサ６０５（センサＥ）はＯＦＦ状態である。
【００５５】
さらにまた、Ｔ３秒後には、フォトセンサ６０６（センサＦ）が光を検出しなくなり、ＯＦＦとなる、この時、フォトセンサ６０４（センサＤ）およびフォトセンサ６０５（センサＣ）もＯＦＦ状態である。
【００５６】
前記Ｔ１時間の設定やフォトセンサ６０４（センサＤ）、フォトセンサ６０５（センサＥ）、フォトセンサ６０６（センサＦ）の配置間隔によっては、前記Ｔ１秒後にフォトセンサ６０５（センサＥ）がＯＮした際に、フォトセンサ６０４（センサＤ）もまだＯＮ状態であってもよい場合もあり、センサ間隔やセンサ並設個数などは任意に変更可能である。
【００５７】
図１０は、前記電子ペーパーＥＰにおけるフォトセンサ６０１（センサＡ）、フォトセンサ６０２（センサＢ）、フォトセンサ６０３（センサＣ）の状態に基づいて、表示部３０１の画像表示状態を切り替える制御処理を示すフローチャートである。この処理は、電子ペーパーＥＰの制御部３０５のＣＰＵが、図示しない記録媒体に記録されたプログラムに従って動作することにより実行される。
【００５８】
図１０において、ステップＳ１では、フォトセンサ６０１（センサＡ）が光源５０５からの光を検出したか否かを判断し、フォトセンサ６０１（センサＡ）が光源５０５からの光を検出すれば（ステップＳ１でＹＥＳ）、ステップＳ３に進む。フォトセンサ６０１（センサＡ）が光源５０５からの光を検出しなければ（ステップＳ１でＮＯ）、ステップＳ２では、表示部３０１の画像がスキャンされていないものと見做し、表示部３０１の表示をそのまま保持して、終了する。
【００５９】
ステップＳ３では、Ｔ１秒後にフォトセンサ６０２（センサＢ）が光源５０５からの光を検出したか否かを判断し、フォトセンサ６０２（センサＢ）が光源５０５からの光を検出すれば（ステップＳ３でＹＥＳ）、ステップＳ４に進む。フォトセンサ６０２（センサＢ）が光源５０５からの光を検出しなければ（ステップＳ３でＮＯ）、ステップＳ２を経たのち、終了する。
【００６０】
ステップＳ４では、Ｔ２秒後にフォトセンサ６０３（センサＣ）が光源５０５からの光を検出したか否かを判断し、フォトセンサ６０３（センサＣ）が光源５０５からの光を検出すれば（ステップＳ４でＹＥＳ）、ステップＳ５では、表示部３０１の表示画像がスキャンされているものと見做し、表示部３０１の表示を非表示へと切り替える。フォトセンサ６０３（センサＣ）が光源５０５からの光を検出しなければ（ステップＳ４でＮＯ）、ステップＳ２を経たのち、終了する。
【００６１】
このように、この実施形態では、表示部３０１に表示された画像に対する複写動作が検出されると、該表示部３０１の画像が非表示となって消去されるから、画像が不正に複写されて流出するのが確実に防止される。
【００６２】
図１１は、スキャン検出により表示部３０１の画像を非表示に切り替えた後、スキャン終了を検出して画像を再表示させる場合の制御処理を示すフローチャートである。この処理は、電子ペーパーＥＰの制御部３０５のＣＰＵが、図示しない記録媒体に記録されたプログラムに従って動作することにより実行される。
【００６３】
図１１において、ステップＳ１１〜Ｓ１５までは、図１０に示したステップＳ１〜Ｓ５と同じである。
【００６４】
即ち、ステップＳ１１では、フォトセンサ６０１（センサＡ）が光源５０５からの光を検出したか否かを判断し、フォトセンサ６０１（センサＡ）が光源５０５からの光を検出すれば（ステップＳ１１でＹＥＳ）、ステップＳ１３に進む。フォトセンサ６０１（センサＡ）が光源５０５からの光を検出しなければ（ステップＳ１１でＮＯ）、ステップＳ１２では、表示部３０１の画像がスキャンされていないものと見做し、表示部３０１の表示をそのまま保持し、処理を終了する。
【００６５】
ステップＳ１３では、Ｔ１秒後にフォトセンサ６０２（センサＢ）が光源５０５からの光を検出したか否かを判断し、フォトセンサ６０２（センサＢ）が光源５０５からの光を検出すれば（ステップＳ１３でＹＥＳ）、ステップＳ１４に進み、フォトセンサ６０２（センサＢ）が光源５０５からの光を検出しなければ（ステップＳ１３でＮＯ）、ステップＳ１２を経たのち、終了する。
【００６６】
ステップＳ１４では、Ｔ２秒後にフォトセンサ６０３（センサＣ）が光源５０５からの光を検出したか否かを判断し、フォトセンサ６０３（センサＣ）が光源５０５からの光を検出すれば（ステップＳ１４でＹＥＳ）、ステップＳ１５では、表示部３０１の画像がスキャンされているものと見做し、表示部３０１の表示を非表示へと切り替えてから、ステップＳ１６に進む。フォトセンサ６０３（センサＣ）が光源５０５からの光を検出しなければ（ステップＳ１４でＮＯ）、ステップＳ２を経たのち、終了する。
【００６７】
ステップＳ１６では、フォトセンサ６０４（センサＤ）が光源５０５からの光を検出したか否かを判断し、フォトセンサ６０４（センサＤ）が光源５０５からの光を検出すれば（ステップＳ１６でＹＥＳ）、ステップＳ１７に進む。フォトセンサ６０４（センサＤ）が光源５０５からの光を検出しなければ（ステップＳ１でＮＯ）、ステップＳ１６に戻って、光源５０５からの光検出を継続する。
【００６８】
ステップＳ１７では、Ｔ１秒後にフォトセンサ６０５（センサＥ）が光源５０５からの光を検出したか否かを判断し、フォトセンサ６０５（センサＥ）が光源５０５からの光を検出すれば（ステップＳ１７でＹＥＳ）、ステップＳ１８に進む。フォトセンサ６０５（センサＥ）が光源５０５からの光を検出しなければ（ステップＳ１７でＮＯ）、そのまま終了する。
【００６９】
ステップＳ１８では、Ｔ２秒後にフォトセンサ６０６（センサＦ）が光源５０５からの光を検出したか否かを判断し、フォトセンサ６０５（センサＦ）が光源５０５からの光を検出すれば（ステップＳ１８でＹＥＳ）、ステップＳ１９に進む。ステップＳ１９では、表示部３０１の表示を表示状態へと切り替えてから、終了する。
【００７０】
フォトセンサ６０６（センサＦ）が光源５０５からの光を検出しなければ（ステップＳ１８でＮＯ）、そのまま終了する。
【００７１】
このように、この実施形態によれば、図１２のシーケンス図に示すように、画像形成装置Ｍによるスキャンの開始が、前記光源５０５の移動に伴うフォトセンサ６０１（センサＡ）、フォトセンサ６０２（センサＢ）、フォトセンサ６０３（センサＣ）のオンオフの状態に基づいて検出されると、表示部３０１の表示が非表示に切り替えられ．。また、スキャンの終了が、前記光源５０５の移動に伴うフォトセンサ６０４（センサＤ）、フォトセンサ６０５（センサＥ）、フォトセンサ６０６（センサＦ）のオンオフの状態に基づいて検出されると、表示部３０１の表示が再表示へと切り替えられる。このため、非表示に切り替わったまま再表示されず、電子ペーパーＥＰを所有するユーザが自らの画像を失うといった不都合はない。
【００７２】
ところで、電子ペーパーＥＰの画像を画像形成装置Ｍで複写するユーザが、画像形成装置Ｍを使用するために認証を得るものとし、それを基にして取得されたユーザ認証ＩＤと電子ペーパーＥＰのＩＤとの間に何らかの関連付がなされている場合には、電子ペーパーＥＰに表示されている画像をそのまま保持して、複写可能としてもよい。電子ペーパーＥＰのＩＤとユーザＩＤとの間に何らかの関連付がなされている場合には、電子ペーパーの所有者が画像形成装置を使用しているユーザであると考えられ、その電子ペーパーは正当なものと考えられるからである。
【００７３】
図１３は、上記のように、電子ペーパーＥＰのＩＤとユーザ認証ＩＤとの間の関連付を判断して、電子ペーパーＥＰの表示／非表示を切り替える場合に、電子ペーパーＥＰ側で行われる制御処理を示すフローチャートである。この処理は、電子ペーパーＥＰの制御部３０５のＣＰＵが、図示しない記録媒体に記録されているプログラムに従って動作することにより実行される。
【００７４】
図１３において、画像形成装置Ｍによりユーザ認証が行われると、画像形成装置Ｍは、ユーザ認証に使用したユーザＩＤを電子ペーパーＥＰに送信する。
【００７５】
ステップＳ２１では、画像形成装置ＭからのユーザＩＤを受信すると、ステップＳ２２では、受信した認証ＩＤがＩＤ記憶部３０７に記憶されている電子ペーパーＥＰのＩＤと一致する否かを判断する。
【００７６】
受信したユーザＩＤと電子ペーパーＥＰのＩＤとが一致すれば（ステップＳ２２でＹＥＳ）、電子ペーパーＥＰはそのユーザの所有物であると考えられるため、ステップＳ２３では、表示部３０１の表示をそのまま保持する。従って、この場合は表示部３０１が非表示に切り替えられることはなく、画像の複写が可能となる。
【００７７】
受信したユーザＩＤと電子ペーパーＥＰのＩＤとが一致しなければ（ステップＳ２２でＮＯ）、ステップＳ２４に進む。
【００７８】
ステップＳ２４では、フォトセンサ６０１（センサＡ）が光源５０５からの光を検出したか否かを判断し、フォトセンサ６０１（センサＡ）が光源５０５からの光を検出すれば（ステップＳ２４でＹＥＳ）、ステップＳ２５に進む。フォトセンサ６０１（センサＡ）が光源５０５からの光を検出しなければ（ステップＳ２４でＮＯ）、表示部３０１に表示された画像がスキャンされていないものと見做し、ステップＳ２３を経て終了する。
【００７９】
ステップＳ２５では、Ｔ１秒後にフォトセンサ６０２（センサＢ）が光源５０５からの光を検出したか否かを判断し、フォトセンサ６０２（センサＢ）が光源５０５からの光を検出すれば（ステップＳ２５でＹＥＳ）、ステップＳ２６に進む。フォトセンサ６０２（センサＢ）が光源５０５からの光を検出しなければ（ステップＳ２５でＮＯ）、ステップＳ２３を経て終了する。
【００８０】
ステップＳ２６では、Ｔ２秒後にフォトセンサ６０４（センサＣ）が光源５０５からの光を検出したか否かを判断し、フォトセンサ６０４（センサＣ）が光源５０５からの光を検出すれば（ステップＳ２６でＹＥＳ）、ステップＳ２７では、表示部３０１の画像がスキャンされているものと見做し、表示部３０１の表示を非表示へと切り替える。フォトセンサ６０４（センサＣ）が光源５０５からの光を検出しなければ（ステップＳ２６でＮＯ）、ステップＳ２３を経て処理を終了する。
【００８１】
このように、この実施形態では、操作者ＩＤと画像表示シートのＩＤとが一致すると、表示部３０１に表示された画像が非表示にされることなく保持されるから、ユーザは、自ら所有している電子ペーパーの表示画像を支障なく複写でき、ユーザの利便性を向上できる。
【００８２】
なお、図１３の例では、ユーザＩＤと電子ペーパーＥＰのＩＤとが一致するかどうかを判断したが、必ずしも一致する必要はなく、予め設定された関連付けが両方のＩＤに存在した場合に、表示状態を保持して複写を許可するものとすれば良い。
【００８３】
図１４は、ユーザが特定の画像形成装置Ｍを使用する際に、画像形成装置Ｍで行われるユーザ認証処理を示すフローチャートである。
【００８４】
図１４において、ステップＳ３１では、ユーザ認証を行うために、ユーザが画像形成装置Ｍの操作表示部１３２からユーザＩＤ、パスワードを入力すると、ステップＳ３２では、画像形成装置Ｍの認証部１３９により、入力されたユーザＩＤと登録ＩＤとが照合され、画像形成装置Ｍに各機能の使用の可否を判断する。
【００８５】
入力ＩＤが登録ＩＤと一致しなければ（ステップＳ３２でＮＯ）、ステップＳ３１に戻って、ユーザＩＤ、パスワード入力を待つ。ユーザＩＤが登録ＩＤと一致すれば（ステップＳ３２でＹＥＳ）、ステップＳ３３では、画像形成装置Ｍの各機能の使用を許可した状態で待機中となる。この時のユーザＩＤが電子ペーパーＥＰに対して送信され、図１３のステップＳ２１で受信されることになる。
【００８６】
図１５は、他の実施形態を示すもので、画像形成装置Ｍから送出された複写開始信号を電子ペーパーＥＰが受信して、表示部３０１の表示を非表示へと切り替える場合のシーケンスを示す。
【００８７】
図１５において、まず、ユーザが画像形成装置Ｍに対してユーザ認証のための入力を行うと、画像形成装置Ｍで照合が行われ、画像形成装置Ｍからユーザに対してユーザ認証の可否、つまり画像形成装置Ｍの使用の可否が報知される。
【００８８】
なお、画像形成装置Ｍにおいて、認証が得られた場合には後述する複写開始信号を電子ペーパーＥＰに送信しないようにして、電子ペーパーＥＰの表示部３０１の表示／非表示の切り替えを行わない（表示部を非表示にしない）設定とすることも可能である。図１５の例では、表示／非表示の切り替えを行う設定がなされている場合を示している。
【００８９】
画像形成装置Ｍの使用が許可された状態で、ユーザが画像形成装置Ｍの原稿台５０１に電子ペーパーＥＰをセットし、スタートボタンを押下すると、画像形成装置Ｍは、スキャン動作の開始により、電子ペーパーＥＰの表示部３０１の画像の複写を開始する。
【００９０】
画像形成装置Ｍは、複写開始動作に伴って電子ペーパーＥＰ側に複写開始信号を送信する。複写開始信号を受信した電子ペーパーＥＰでは、表示部３０１の画像を非表示へと切り替える。
【００９１】
画像形成装置Ｍは、通常の複写処理工程を経て、印刷された用紙を機外へ排出する。
【００９２】
図１６は、画像形成装置Ｍからの複写開始信号を基に複写開始を検出する一方、画像形成装置Ｍからの複写終了信号を基に、複写終了を検出し、電子ペーパーＥＰの表示部３０１の表示／非表示を切り替える場合のシーケンスを示す。
【００９３】
図１６において、まず、ユーザが画像形成装置Ｍに対してユーザ認証のための入力を行うと、画像形成装置Ｍで照合が行われ、画像形成装置Ｍからユーザに対してユーザ認証の可否、つまり画像形成装置Ｍの使用の可否が報知される。
【００９４】
画像形成装置Ｍの使用が許可された状態で、ユーザが画像形成装置Ｍの原稿台５０１に電子ペーパーＥＰをセットし、スタートボタンを押下すると、画像形成装置Ｍは、スキャン動作の開始により、電子ペーパーＥＰの表示部３０１の画像の複写を開始する。
【００９５】
画像形成装置Ｍは、複写開始動作に伴って電子ペーパーＥＰ側に複写開始信号を送信する。
【００９６】
画像形成装置Ｍは、通常の複写処理工程を経て印刷された用紙を機外へ排出する。複写が終了すると、画像形成装置Ｍは、複写終了信号を電子ペーパーＥＰに送信し、これを受信した電子ペーパーＥＰは、表示部３０１を非表示から再表示へと切り替える。
【００９７】
ところで、電子ペーパーＥＰに、表示部３０１の画像の複写の禁止／許可を予め設定しておくことも可能である。
【００９８】
図１７は、電子ペーパーＥＰに予めなされている画像の複写の禁止／許可の設定に応じて、表示部３０１の表示状態を制御する処理を示すフローチャートであり、電子ペーパーＥＰの制御部３０５のＣＰＵで実行されるものである。
【００９９】
図１７において、ステップＳ４１では、画像形成装置Ｍによる複写開始を検知し、ステップＳ４２では、複写禁止の設定がなされているか否かを判断する。
【０１００】
複写禁止の設定がなされていなければ（ステップＳ４２でＮＯ）、ステップＳ４３では、表示部３０１の表示をそのまま保持する。複写禁止の設定がなされていれば（ステップＳ４２でＹＥＳ）、ステップＳ４４では、表示部３０１の画像を非表示にする。
【０１０１】
この実施形態では、複写禁止の設定がなされていなければ、複写開始が検知されても非表示への切り替えはなされないから、画像流出を阻止したい場合にのみ複写禁止を設定しておけば良く、電子ペーパーの使用形態に関する自由度が増す。
【０１０２】
また、画像形成装置Ｍが複写時に電子ペーパーＥＰから電子ペーパー自身のＩＤを取得し、取得された電子ペーパーのＩＤと画像形成装置Ｍのユーザ認証に使用されたユーザＩＤとの関連付けがなされているか否かを、画像形成装置Ｍが判断し、その結果に応じて、電子ペーパーＥＰの表示部３０１の表示／非表示を制御する構成としても良い。
【０１０３】
この場合に画像形成装置Ｍで行われる処理を、図１８のフローチャートを参照して説明する。
【０１０４】
図１８において、ステップＳ６１でユーザ認証を行い、ステップＳ６２で認証の可否を判断する。認証が成功すれば（ステップＳ６２で可：ＹＥＳ）、ステップＳ６３に進み、認証が成功しなければ（ステップＳ６２で不可：ＮＯ）、ユーザに使用を許可することなくそのまま終了する。
【０１０５】
ステップＳ６３では、電子ペーパーＥＰからＩＤを取得して確認する。その後、ユーザが電子ペーパーＥＰを原稿台５０１にセットし、スタートボタンを押下すると、ステップＳ６４でこの複写指示を受け付けたのち、ステップＳ６５に進む。
【０１０６】
ステップＳ６５では、電子ペーパーＥＰのＩＤとユーザ認証に用いられたＩＤとに関連性があるか否かを判断し、関連性が認められなければ（ステップＳ６５で無：ＮＯ）、その電子ペーパーＥＰはユーザ自身の所有物でなく、不正使用の恐れがあると考えられることから、ステップＳ６６で、電子ペーパーＥＰに複写開始信号を送信したのち、ステップＳ６７で複写動作を実行する。なお、電子ペーパーＥＰは、画像形成装置Ｍからの複写開始信号を受信すると、表示部３０１の表示を非表示へと切り替える。
【０１０７】
一方、ステップＳ６５で、電子ペーパーＥＰのＩＤとユーザ認証に用いられたＩＤとに関連性が認められれば（ステップＳ６５で有；ＹＥＳ）、その電子ペーパーＥＰはユーザ自身の所有物であり、不正使用の恐れはないと考えられることから、そのままステップＳ６７で複写動作を実行する。従って、この場合は、電子ペーパーＥＰの表示部３０１に画像が表示されたまま、複写が実行される。
【０１０８】
このように、この実施形態では、電子ペーパーＥＰのＩＤとユーザＩＤとに関連付けがあると判断された場合には、画像形成装置は、画像表示シートに対して複写開始信号を送信しないように制御されるから、画像の不正複写の恐れのない場合にまで、画像か非表示にされるのを防止できる。
【０１０９】
図１９は、図１８の実施形態の処理に加えて、複写終了後に電子ペーパーＥＰに複写終了信号を送信する場合の画像形成装置Ｍで行われる処理を示すフローチャートである。
【０１１０】
ステップＳ７１でユーザ認証を行い、ステップＳ７２で認証の可否を判断する。認証が成功すれば（ステップＳ７２で可：ＹＥＳ）、ステップＳ７３に進み、認証が成功しなければ（ステップＳ７２で不可：ＮＯ）、ユーザに使用を許可することなくそのまま終了する。
【０１１１】
ステップＳ７３では、電子ペーパーＥＰからＩＤを取得して確認する。その後、ユーザが電子ペーパーＥＰを原稿台５０１にセットし、スタートボタンを押下すると、ステップＳ７４でこの複写指示を受け付けたのち、ステップＳ７５に進む。
【０１１２】
ステップＳ７５では、電子ペーパーＥＰのＩＤとユーザ認証に用いられたＩＤとに関連性があるか否かを判断し、関連性が認められれば（ステップＳ６５で有；ＹＥＳ）、その電子ペーパーＥＰはユーザ自身の所有物であり、不正使用の恐れはないと考えられることから、そのままステップＳ７９で複写動作を実行する。従って、この場合は、電子ペーパーＥＰの表示部３０１に画像が表示されたまま、複写が実行される。
【０１１３】
一方、ステップＳ７５で、電子ペーパーＥＰのＩＤとユーザ認証に用いられたＩＤとに関連性が認めらなければ（ステップＳ７５で無；ＮＯ）、その電子ペーパーＥＰはユーザ自身の所有物ではなく、不正使用の恐れがあると考えられることから、ステップＳ７６で、電子ペーパーＥＰに複写開始信号を送信したのち、ステップＳ７７で複写動作を実行する。電子ペーパーＥＰは、画像形成装置Ｍからの複写開始信号を受信すると、表示部３０１の表示を非表示へと切り替える。
【０１１４】
複写が終了すると、ステップＳ７８で、電子ペーパーＥＰに複写終了信号を送信する。電子ペーパーＥＰは複写終了信号を受信すると、表示部３０１に画像を再表示する。
【０１１５】
以上説明した実施形態では、画像形成装置Ｍにより電子ペーパーＥＰの表示部３０１に表示された画像に対する複写動作がなされた場合の処理を説明したが、以下の実施形態に示すように、デジタルカメラによって電子ペーパーＥＰの表示部３０１に表示された画像が複写された場合も、画像の表示／非表示を制御する構成としても良い。
【０１１６】
即ち、近年のデジタルカメラにおいて、コンパクトタイプのデジタルカメラや一眼レフタイプのデジタルカメラに標準装備されている機能として、オートフォーカスが挙げられる。このオートフォーカスは、カメラ付き携帯電話にも搭載されている。
【０１１７】
オートフォーカスの原理としては、アクティブ方式とパッシブ方式の二つに大別される。
【０１１８】
アクティブ方式としては、レーダーと同様の原理で、対象物（被写体）に赤外線・超音波を照射し、その反射波が戻るまでの時間や照射角度により距離を検出して、焦点を合わせる方式である。コンパクトタイプのデジタルカメラには、標準的に採用されている。
【０１１９】
パッシブ方式としては、赤外線などを使用せずに、レンズで捕らえた画像を利用して測距を行う方式である。ＡＦ一眼レフカメラの位相差検出方式、デジタルカメラのコントラスト方式などがある。
【０１２０】
この実施形態では、アクティブ方式のオートフォーカス機能を搭載したデジタルカメラＣＡにより、電子ペーパーＥＰの表示部３０１の画像が複写（撮影）されるのを検出するものとし、表示部３０１の表示を切り替えるものとなされている。この処理を図２０を参照して説明する。
【０１２１】
図２０において、デジタルカメラＣＡは、電子ペーパーＥＰに対して赤外線Ｌを照射する赤外線ＬＥＤからなる赤外線照射部８０１と、電子ペーパーＥＰからの反射波を受光する赤外線センサ９０１を備えている。
【０１２２】
電子ペーパーＥＰには、デジタルカメラＣＡから照射された赤外線Ｌを受光する赤外線センサ７０１が搭載されている。
【０１２３】
デジタルカメラＣＡで電子ペーパーＥＰの表示部３０１を撮影する際に、該デジタルカメラＣＡから照射された赤外線Ｌが電子ペーパーＥＰの赤外線センサ７０１により、検出される。この検出結果から、デジタルカメラＣＡによる撮影されているものと判断し、表示部３０１の画像について、表示／非表示の制御を行うように構成されている。
【０１２４】
図２１は、前記赤外線センサ７０１・・・および測距センサ７０２を搭載した電子ペーパーＥＰの一例を示す。
【０１２５】
図２１において、この電子ペーパーＥＰには、例えば表示部３０１の中央部Ｐと、表示部周辺の４つのコーナ部位Ｑ１〜Ｑ４とに赤外線センサ７０１・・・がそれぞれ配置されている。勿論、この赤外線センサ７０１・・・の配置箇所や配置数は任意に変更可能である。
【０１２６】
また、前記複数の赤外線センサ７０１・・・のそれぞれには、測距センサ７０２・・・が並設されている。測距センサ７０２・・・は、常時発光するものであってもよく、デジタルカメラＣＡからの赤外線Ｌを受光した時に反応して発光するものであってもよい。
【０１２７】
前記各個所（Ｐ、Ｑ１〜Ｑ４）において、赤外線センサ７０１・・・が検出した赤外線の光量レベルの差と、測距センサ７０２・・・の検出値を比較することにより、図２２に示すように、ある特定の角度、位置からの赤外線Ｌの照射があると判断し、表示部３０１の表示に対して所定の制御を行う。
【０１２８】
図２３は、前記赤外線センサ７０１による赤外線検出電圧と測距センサ７０２による検出電圧からデジタルカメラＣＡによる撮影を検知し、表示部３０１の表示を切り替える制御処理を示すフローチャートである。
【０１２９】
図２３において、ステップＳ５１では、電子ペーパーＥＰにおける赤外線センサ７０１により赤外線を検出し、ステップＳ５２では、赤外線検出電圧が所定電圧以上か否かを判断する。赤外線検出電圧が所定電圧未満であれば（ステップＳ５２でＮＯ）、撮影はなされていないものとして、ステップＳ５３で、表示部３０１の表示をそのまま保持する。
【０１３０】
一方、赤外線検出電圧が所定電圧以上であれば（ステップＳ５２でＹＥＳ）、ステップＳ５４に進み、電子ペーパーＥＰにおける測距センサ７０２により電圧を検出し、ステップＳ５５で、検出電圧が所定電圧以上か否かを判断する。検出電圧が所定電圧未満であれば（ステップＳ５５でＮＯ）、やはり撮影はなされていないものとして、ステップＳ５３で、表示部３０１の表示をそのまま保持する。
【０１３１】
ステップＳ５５で、検出電圧が所定電圧以上であれば（ステップＳ５５でＹＥＳ）、ステップＳ５６では、デジタルカメラＣＡが撮影態勢に入っているものと見做し、表示部３０１の画像を非表示に切り替える。
【図面の簡単な説明】
【０１３２】
【図１】この発明の一実施形態に係る画像表示シートとしての自己書き換え形電子ペーパーの電気的構成を示すブロック図である。
【図２】同じく電子ペーパーを示す平面構成図である。
【図３】画像形成装置の電気的構成を示すブロック図である。
【図４】同じく画像形成装置の画像読み取り部を示す概略構成図である。
【図５】同じく画像読み取り部によるスキャン動作の説明図である。
【図６】電子ペーパー側におけるスキャン開始時の検出動作の説明図である。
【図７】スキャン開始検出用フォトセンサの時間経過による状態変化を示す表である。
【図８】電子ペーパー側におけるスキャン終了時の検出動作の説明図である。
【図９】スキャン終了検出用フォトセンサの時間経過による状態変化を示す表である。
【図１０】電子ペーパーにおけるフォトセンサでスキャンを検出して表示部の状態を切り替える制御処理を示すフローチャートである。
【図１１】電子ペーパーにおけるフォトセンサでスキャンを検出して表示部の状態を切り替え、スキャン終了を検出して再表示させる制御処理を示すフローチャートである。
【図１２】電子ペーパーの表示を切り替える場合のシーケンスである。
【図１３】ユーザ認証を基に電子ペーパーにおけるフォトセンサでスキャンを検出して表示部の状態を切り替える制御処理を示すフローチャートである。
【図１４】画像形成装置を使用するユーザの認証処理を示すフローチャートである。
【図１５】画像形成装置からの複写開始信号を基に複写開始を検出して、電子ペーパーの表示部の表示を非表示へと切り替える場合のシーケンスである。
【図１６】画像形成装置からの複写開始信号を基に複写開始を検出し、複写終了信号を基に複写終了を検出し、電子ペーパーの表示部の表示を切り替える場合のシーケンスである。
【図１７】電子ペーパーの画像の複写の禁止／許可の設定に応じて表示部の表示状態を制御する処理を示すフローチャートである。
【図１８】画像形成装置からの複写開始信号を基に表示部の表示を切り替える場合における画像形成装置側の処理を示すフローチャートである。
【図１９】画像形成装置からの複写開始信号を基に表示部の表示を切り替え、複写終了後に複写終了信号を基に再表示する場合における画像形成装置側の処理を示すフローチャートである。
【図２０】アクティブ方式のオートフォーカス機能を搭載したデジタルカメラにより電子ペーパーの表示部の画像が撮影されるのを検出し、表示部の表示を切り替える例の説明図である。
【図２１】赤外線センサおよび測距センサを搭載した電子ペーパーの平面図である。
【図２２】電子ペーパーの各ポイントにおける赤外線の光量レベルの差と、測距センサの測定結果を示す表である。
【図２３】赤外線センサによる赤外線検出電圧と測距センサによる検出電圧からデジタルカメラによる撮影を検知し、表示部の表示を切り替える制御処理を示すフローチャートである。
【符号の説明】
【０１３３】
１４０        複写開始信号送信部
１４１        複写開始信号送信部
３０１        表示部
３０３        センサ部（複写検出手段）
３０５        制御部
３０７        ＩＤ記憶部
５０１        原稿台
６０１〜６０６    フォトセンサ
７０１        赤外線センサ
７０２        測距センサ
ＣＡ          撮像装置（デジタルカメラ）
ＥＰ          電子ペーパー（画像表示シート）
Ｍ            画像形成装置
【図１】
2008148074.tif 000003
【図２】
2008148074.tif 000004
【図３】
2008148074.tif 000005
【図４】
2008148074.tif 000006
【図５】
2008148074.tif 000007
【図６】
2008148074.tif 000008
【図７】
2008148074.tif 000009
【図８】
2008148074.tif 000010
【図９】
2008148074.tif 000011
【図１０】
2008148074.tif 000012
【図１１】
2008148074.tif 000013
【図１２】
2008148074.tif 000014
【図１３】
2008148074.tif 000015
【図１４】
2008148074.tif 000016
【図１５】
2008148074.tif 000017
【図１６】
2008148074.tif 000018
【図１７】
2008148074.tif 000019
【図１８】
2008148074.tif 000020
【図１９】
2008148074.tif 000021
【図２０】
2008148074.tif 000022
【図２１】
2008148074.tif 000023
【図２２】
2008148074.tif 000024
【図２３】
2008148074.tif 000025